(57)【要約】      （修正有）【課題】巨大台風地震津波に対応するために、沖合海中に景観を考慮した廃棄物処分場を兼ねる波消し構造物を構築する。【解決手段】沖合に構築するブロック礁Ｂはテトラポットや重量がれきを海中の複数個所に斜め後方へ配列積み上げて構築する。また、海岸側には、同様な配列で消波ボックスＣを構築する。津波はブロック礁Ｂや消波ボックスＣに乗り上げるか左右に分かれ進み、各箇所一つ一つで少しずつ勢いを弱める。ブロック礁Ｂや消波ボックスＣにはアンカー杭Ｆ，ｆを貫通打設するとともに杭先端及び途中のブロック礁Ｂ内部へグラウトを注入し、補強・洗掘防止を図る。さらに、ブロック礁Ｂおよび消波ボックスＣの構築が完了した後は、ブロック礁Ｂ周囲や上部へ沿岸に至る防波堤を構築し、埋め立て地や残材置き場として利用する。【選択図】図１
2013083131.tif 000002
【特許請求の範囲】
【請求項１】
海底へ波止めテトラポット・ガレキのブロック礁（Ｂ）を山積みへ、グラウト用配管開設のアンカー主柱杭（Ｆ）とブロック礁（Ｂ）の先端部位アンカー杭（ｆ）複数を海底地中へ打ち込み、杭（Ｆ・ｆ）先端部地中と海底へグラウト（地質改良補強剤）用配管開設ノズルよりグラウト抽出可能の杭とブロック礁。
【請求項２】
堅固な材質の馬蹄形同断面の長い箱形の消波ボックス（Ｃ）、津波の侵入側（ア←印）先端部位角（Ｃ１・Ｃ２・Ｃ３・Ｃ４）の凸出を不揃い、先端部位辺幅（ＣＡ・ＣＢ・ＣＣ・ＣＤ）も不揃いにする、底板ＣＡの辺幅は屋根板ＣＢの辺幅より短い、ＣＣとＣＤ辺側の幅（消波ボックスの高さ）は同等、消波ボックスの出口（イ←印）側の辺の断面は各々不統一で凸出も不揃いにする、消波ボックス（Ｃ）グラウト用配管開設の中央部位杭（Ｆ）と先端部位（消波ボックス内外）杭（ｆ）複数を海底地中へ打ち込み、杭（Ｆ・ｆ）先端部地中へグラウト用配管ノズルより抽出可能の杭と消波ボックス。
【請求項３】
消波ボックス（Ｃ）長手方向の中途へフレーム（ＣＧ１）を消波ボックス（Ｃ）の前部から後部へ各々接続してＣＢ・ＣＣ・ＣＤへビスやボルト等でボックス状シート張り（ＣＧ）、底板（ＣＡ）は堅固なものとし中央へ主柱杭を海上海中地中へ打設する、シート張り消波ボックス。
【請求項４】
消波ボックス（Ｃ）の尾部を二股（ＣＨ）にして屋根部位（ＣＢ）へ穴（ＣＨ２）開設する、消波ボックス（Ｃ）の外側を流れる津波は内部の囲われ抵抗を受けた流れる直進より早い、二股（ＣＨ）から出てくる横からの遅い流れで外側直進の流れを横押しして、混乱して津波は弱くなる、二股出口の消波ボックス。
【請求項５】
ブロック礁（Ｂ）・消波ボックス（Ｃ）複数の配列を、配列開始側一番（Ｂ・Ｃ）を沖合（津波の押し寄せるＡ↑側）先頭へ出す、次のブロック礁（Ｂ２）・消波ボックス（Ｃ２）を少々離し後退（港等沿岸の側へ）して開設する、次々と前者同様（Ｂ３．Ｂ４．．．．）（Ｃ３．Ｃ４．．．）に開設して、津波を少しずつ弱めるブロック礁（Ｂ）と消波ボックス（Ｃ）の配列。
【発明の詳細な説明】
【技術の分野】
【０００１】  本発明は、沖合地震時発生する津波が沿岸へ至り上陸し災害を及ぼす、この津波の威力を弱める技術の分野に関する。
【背景技術】
【０００２】  従来は、防波堤の沖合へ波消しブロックのテトラポット・十字ブロックを置き波を止める、また、海中へカルバートボックス・パイプを岸に向け、複数を並べてい、内部空洞部位へ津波を導入し弱める。
内陸では、堤防を高く堅固にしている。【０００３】  河川の分水堰き流速コントロールでは、等速にするため、河川の一部が深く高速部位へ石等の流れに抵抗するものを並べ置き低速にして全流れを平均にして、分水堰きへ流し分水している。【０００４】  防災弱者は、想定外の災害では避難出来ない、平地では逃げばが無い、堅固な建物・防災建物は少なく、避難に至る路地・機器・避難に要する時間がない。
【先行技術文献】
【０００５】  従来技術では、カルバート・テトラポット・既製ボックス
【特許文献】
【０００６】
【特許文献１】
【発明の概要】
【発明が解決しようとする課題】
【０００７】  津波の強大な力を利用出来ないか課題、横一線で押し寄せる津波を、細かく分け少しずつ壊すか、障害物へ衝突させて弱めるか、左右にそらし分け隣接の流れに衝突させるか、いろいろな解決方法と課題がある。【０００８】  想定外の地震に免震防災建物、その後の想定外津波に対応する技術防波防潮被害が課題。  沖合で発生し押し寄せる横一線で複数の津波を、どの様な手段で弱めて沿岸に近づけるか、周辺海域の景観を損なわず、地域に適した工法を沖合で施工するか、また上陸する高潮害から弱者を救助するか課題。
東日本大震災に膨大なガレキの処分場所・沖合埋め立てへ再利用・復旧復興地域の復活、安全安心で老人子供を含む元気づけ、住民が将来に希望のもてる地域作り、地域特性を生かし沿岸に符号する構造工法を適用するか課題。
遅れている震災復旧・復興・活性は、地域に合った技術の提案が課題。
【課題を解決すための手段】
【０００９】  津波を弱める手段として、海面の波と、底辺の洗掘に分けて対応した、まず津波（Ａ）を少々ずつ壊すシェル状（貝殻状）に積み上げたガレキ・テトラポット・十字ブロック・不燃の重量廃棄物の山で形成のブロック礁（Ｂ）、中央へアンカー杭支柱（Ｆ）を開設、フロック礁（Ｂ）前方先端部位にはアンカー杭（ｆ）を複数開設する、アンカー（Ｆ・ｆ）杭の地中先端部位へグラウト地質改良補強剤（ＦＣ）を施しアンカー杭（Ｆ・ｆ）を補強する。  アンカー杭（Ｆ・ｆ）中途のブロック礁（Ｂ）内部へグラウト地質改良補強剤（ＦＣ）を注出口（Ｆｇ２・ｆｇ２）より注出して杭周囲を固定してブロック礁（Ｂ）を海底へ定着して、次々に押し寄せる津波（Ａ）の洗掘の破壊に対抗する。
【００１０】  図４  消波ボックス（Ｃ）は、箱型パイプ（カルバート）を海底に定着してアンカー主柱杭（Ｆ）を海底地中へ打設、先端部位へグラウト（ＦＣ）を施し消波ボックス（Ｃ）の底板（ＣＡ）をコンクリート等で固定、消波ボックス（Ｃ）の前方ではアンカー杭（ｆ）複数本上位を海中に出し海底地中へ打設、先端部位へグラウト（ＣＦ）を施し、杭の隙間へガレキ・テトラポット・重量廃棄物を置き津波進入時の洗掘を防ぐ。
【００１１】  消波ボックス（Ｃ）（図２）のボックス（ＣＡ１）先端（ア←）側は斜めにして津波の進入時の抵抗を少なくする、消波ボックス（Ｃ）形態は断面で、屋根部位（ＣＢ）より底板部位（ＣＡ）の幅を広くして安定する、  全長は隣設と同等にせず長尺の場合は同型形態を中間へ連結接続する、出口（イ←）側ボックス（ＣＡ２）尾部形態は不規則にして、消波ボックス（Ｃ）内外の潮の速度が異なり波が混乱ばらばらの波にして津波を弱める。
【００１２】  図５  ＣＧは、消波ボックス（Ｃ）の長手方向中央部位を軽く・柔軟（炭素繊維シート）・運搬や現場組み立てを容易にするため丈夫なシート（ＣＧ）の幌状部位の場合。  消波ボックス（Ｃ）の前方（ＣＡ１）と尾部（ＣＡ２）の中央部位へコーナーフレームや梁を渡し取り付けジグを開設してシート（ＣＧ）を張る。
【００１３】  消波ボックス（Ｃ）の先端部位は各辺の出の位置や断面は、下位突き出し尖らせて津波の進入抵抗を少なくする。
【００１４】  消波ボックス（Ｃ）の出口部位を実施例図７に示すように両側二股（ＣＨ）の（ＣＨ１）に分ける、その上面屋根板（ＣＢ）へ穴（ＣＨ２）を開設する。
消波ボックス（Ｃ）の入り口（ア←）より進入した津波は、両側と分離して出口（ＣＨ１←）へ出る、両側直進（ウ←）の側面へ衝突し速度の違いも大きく混乱をお越し波の速度が弱まる。
二股（ＣＨ）部位の屋根板の穴（ＣＨ２）は上向き、上部外側を直進摺る流れより遅れて流れ出ておし上げる、ここでも流れが
が異なりばらばらになり波の速度が弱まる。
【発明の効果】
【００１５】  ブロック礁（Ｂ）の配置は、図１に示す、押し寄せる強大な津波（Ａ）に対抗し（Ａ）威力を少々ずつブロック礁（Ｂ）へ乗り上げさせ波の威力を弱める、次にブロック礁（Ｂ１）より後退してブロック礁（Ｂ２）を開設、ブロック礁（Ｂ３）はブロック礁（Ｂ２）より後退して開設する、このように（Ｂ４）・（Ｂ５）・（Ｂ６）・・・と前設ブロック礁（Ｂ）より少々ずつ後退配列して、津波（Ａ）を先端部位低所から中央部位高所へ乗り上げ少しずつ津波（Ａ）を弱める、全体配列ではブロック礁（Ｂ）毎に分割し乗り上げさせ弱める。
前列のブロック礁（Ｂ）間を通り抜けた津波（Ａ）は、図１に示す、前列に同じ形態配列のブロック礁（Ｂ）を後方へ配列して、前列ブロック礁（Ｂ）に同様津波を弱める、時よりブロック礁（Ｂ）より前方へ少々突き出しブロック礁（ｂ）を配置してよい。
ブロック礁（Ｂ’・ｂ’）左奥へ後退開設は、前説ブロック礁（Ｂ・ｂ）右奥へ後退同様配列の形態作用をする。
【００１６】  ブロック礁（Ｂ・ｂ）側、ブロック礁（Ｂ‘・ｂ’）側の完成ご、震災後のガレキや建築の不燃廃材の処分場所として、ブロック礁（Ｂ・Ｂ‘）（ｂ・ｂ’）の周囲や上部へ両沿岸陸地側より海面上へ至る  うず高く埋め立て防波堤構築も可、従来の陸上に保管出来ない残材の置き場に利用。
ブロック礁（Ｂ・Ｂ‘）両側から先端まで埋め立て盛り土完了後は、津波高潮等の海面非常時に開閉する水門を施設開設して津波・高潮を止める。
【００１７】  次に、中空箱型の消波ボックス（Ｃ）について実施例を側面略図３をもとに説明する、消波ボックスは予め短めに分け工場で制作して現場海上で組み合わせ沈埋する鉄筋コンクリート製が良い、  床面（ＣＡ）は屋根面（ＣＢ）より幅を広く、先端は津波の進入側、先端角（Ｃ１）は先端角（Ｃ２）よりやや突き出す、先端角（Ｃ１）は先端角（Ｃ３）よりやや突き出す、先端角（Ｃ４）は（Ｃ２）よりやや後退、先端角（Ｃ４）は（Ｃ３）よりやや後退、各先端角は各々異なり、断面は斜めにして津波の進入抵抗を少して破壊力を削ぐ。
【００１８】  消波ボックス（Ｃ）へ進入した津波（Ａ）は四面を囲われ側面の抵抗を受け津波の型を失い、潮流は遅くなる。    消波ボックス（Ｃ）出口ではＣの外部三方（Ｃの上・右・左）側から流れくる早い流れと合流し、津波はみだれて流速を弱める。
【００１９】  消波ボックス（Ｃ）前方海底へ複数のアンカー杭（ｆ）と杭の隙間へ洗掘を止めるテトラポットや重量のガレキを置く、破壊防止為のアンカー杭（ｆ）の先端と海底部位へグラウトを施す。
【００２０】  消波ボックス（Ｃ）の側面（ＣＣ・ＣＤ）と屋根面（ＣＢ）の数カ所へ内外貫通穴調整穴（ＣＸ）を開示して、消波ボックス（Ｃ）内外の水圧の差を調整して消波ボックスの破壊防止と波の流速を内外平均化する。
【００２１】  消波ボックス（Ｃ）の屋根面（ＣＢ）・床面（ＣＡ）を貫通して海底地中へグラウト管付き主柱杭（Ｆ）を打ち込み地中へグラウトを施し固定する、主柱杭（Ｆ）と床面（ＣＡ）をコンクリート等で固定する、主柱杭（Ｆ）の上位は風車や灯台等の取り付け主柱に利用する。
【００２２】  消波ボックス（Ｃ）の中途へ、図５に示すように消波ボックス（Ｃ）と同型のシート張り（ＣＧ）部位へ、主柱杭（Ｆ）及び消波ボックス（Ｃ）の減圧穴（ＣＸ）は前者ボックスに同じく開設する。
【００２３】  図１に示す、ブロック礁（Ｂ）及び消波ボックス（Ｃ）各々全配列で（人）の文字を形成し、津波（Ａ）防災対策施設にはブロック礁（Ｂ）か消波ボックス（Ｃ）のどちらかの施設でも良い。
ブロック礁（Ｂ）と消波ボックス（Ｃ）各々の左右尾部は海岸側に至る、配列とする。
津波（Ａ）は最初にブロック礁（Ｂ）の（Ｂ１）先端部位へ衝突して一部壊れるか、左右に割れるか乗り越えるか、バラバラに分かれる。  次にやや斜め後方ブロック礁（Ｂ２）に到達して（Ｂ１）同様の作用をする、このように（Ｂ３．Ｂ４．．．）と作用して岸壁にいたる、右側も同じく（Ｂ‘１．Ｂ’２．Ｂ‘３．．．）
と、順次作用して岸壁にいたる。
【００２４】  消波ボックス（Ｃ）は、中空ボックスであり津波（Ａ）の直進はボックス内へ侵入、両側及び上部は側面の外側を流れる、先端部位は前述の通り、消波ボックス（Ｃ）の尾部では、内部通過の海流は周り四面摩擦抵抗で（Ｃ）の外側通過の流れより遅い為、出口で内外の流れが混乱して波が弱くなる。
【００２５】  一次埋立地（Ｒ１・ｒ１）は沿岸に沿って行い（Ｂ．Ｂ’・Ｃ．Ｃ’）の開設拠点とし、両（Ｂ．Ｂ’・Ｃ．Ｃ’）完成後は地域の特性能力で埋め立て、両岸（Ｂ１．Ｂ’１・Ｃ１．Ｃ’１）より同様に埋め立て完了後、各々の両端へ水門の支柱を開設して、手動開閉可能の軽量  扉（Ｄ１・Ｄ２）を取り付ける。
【図面の簡単な説明】
【００２６】
【図１】ブロック礁（Ｂ）消波ボックス（Ｃ）の配置システム例平面図
【図２】ブロック礁（Ｂ）断面図
【図３】杭（Ｆ・ｆ）の断面図
【図４】消波ボックス（Ｃ）の側面透視図
【図５】（Ｃ）の中央シート（ＣＧ）部位側面透視図
【図６】（Ｃ）の（ＣＧ）部位断面図
【図７】（Ｃ）の尾部二股（ＣＨ）部位平面透視図
【図８】（Ｃ）の側面（ＣＢ）の長手方向断面図
【図９】（Ｃ）の側面（ＣＣ）長手方向の一部断面図
【図１０】（Ｃ）の展開図
【図１１】（Ｃ）の工場制作により現場組み立て想定図
【図１２】図１１の屋根板（ＣＢ）部位断面図
【図１３】は上記図１２の断面図
【図１４】は図１１の底板（ＣＡ）の横断面図
【図１５】水深が深い場合（Ｃ）を二段重ねに設置した想定図
【発明を実施するための携帯】
【００２７】  本発明を実施例図（図１）に基づいて説明する、津波に弱い日本の海岸リアス地形の港湾を例に平面図にして説明する。
従来の多くは、津波（Ａ）が襲来の場合、津波は防波堤（Ｅ・Ｅ１）へ到達、津波が想定外の巨大の場合防波堤を越え平地の工作物を破壊している。
想定を遙かに超え巨大な津波（Ａ）を沖合で弱めるため、海底から海中海面に至るシェル（貝殻を伏せた形態）状型になるブロック礁（Ｂ）の中ほどへ、主柱杭（Ｆ）を少々ずつ斜め奥へ後退し間隔をとりＦ２．Ｆ３．．．海面上から海底地中に至る、へ打ち込み、次にブロック礁（Ｂ）前部位へ杭（ｆ）を打ち込む、次に海中部位の杭（Ｆ．ｆ）の周囲へテトラポットや重量のガレキ等を海面近くまで、積み上げ敷き詰め隙間及び杭（Ｆ．ｆ）の地中部位へグラウト注出口よりモルタル等のグラウト剤を注出して固定する、津波（Ａ）の底辺部位の洗掘作用をブロック礁（Ｂ）の先端底辺でうけ止め弱める。
主柱杭（Ｆ）の海面上部位は風車・灯台・標識の主柱に使用する。
ブロック礁（Ｂ）は図１示すのように両側へ奥開き二列形態に配列開設する、ブロック礁（Ｂ）同士間は少々間隔をとり、また少々ずつ後退して開設することは津波が一同の波でブロック礁（Ｂ）を、乗り越えた直進の波（←ア１）と横を通り抜けた波右（←ア２）・左（←ア３）が少しずつづれ、先でまた波同士が共鳴して波を形成する現象を防ぐ。  前列ブロック礁（Ｂ）の間を抜けた津波（Ａ）は二列に開設のブロック礁（Ｂ）へ乗り越え両側へ分かれ、前列同様の効果をする。  三列開設もよい、複数列開設のブロック礁（Ｂ）を超えた津波（Ａ）は各々越えた位置・流速・方向がバラバラであり波もバラバラで共鳴出来ず津波（Ａ）は弱まる。
【００２８】  ブロック礁設置間内の埋め立て範囲（Ｒ）は将来埋め立て地（Ｒ１側．Ｒ２側）して防波堤にする、平坦地は新規開発地に利用する、埋め立て完了後先端（Ｒ１側．Ｒ２側）へ水門（Ｄ１）用の支柱開設して津波時の開閉水門扉を開設する、扉の材質はシート等の軽量丈夫なもので手動の開閉が容易。
実施例図４消波ボックス（Ｃ）は、予め製作した製品を現場へ運び海底へ沈め設置する、配列は（Ｂ）同様に奥開きとする。
消波ボックス（Ｃ）は、先端部位（Ｃ−１・Ｃ−２・Ｃ−３・Ｃ−４）を不揃い斜め面にして津波（Ａ）の侵入抵抗を少なくする。  消波ボックス（Ｃ）の底板（ＣＡ）部位へ主柱杭（Ｆ）を打設、底板（ＣＡ）前方へ杭（ｆ）複数の間隔をあけ杭頭を海中に伸ばした状態に打設、杭（ｆ）間へテトラポットやガレキ置き洗掘を止める、杭（Ｆ．ｆ）地中先端部位にはグラウトを施し補強もする。
消波ボックス（Ｃ）の尾部位（Ｃ’１・Ｃ’２・Ｃ’３・Ｃ’４）も不揃いにする、消波ボックス（Ｃ）の底板（ＣＡ）横幅は側壁（ＣＣ＝ＣＤ）高さより大きく、屋根板（ＣＢ）幅は底板（ＣＡ）幅より小にする、消波ボックス（Ｃ）の全長は高さの２倍以上にして安定させる、なお消波ボックス（Ｃ）の（ＣＡ）部位へ洗掘・波力破壊力に対応するため主柱杭（Ｆ）・杭（ｆ）を地中へ打ち込みグラウトを施し強化する。
【００２９】  消波ボックス（Ｃ）の側壁（ＣＣ・ＣＤ）屋根板（ＣＢ）面へ内外貫通の穴（ＣＸ）を開設して、消波ボックス（Ｃ）内外の海流出入りさせ海流圧を調整して消波ボックス（Ｃ）の破壊力を削ぐ。
【００３０】  消波ボックス（Ｃ）の中間をシート張り（ＣＧ）構造の場合、底板（ＣＡ）を前後に同じ重量の鉄筋コンクリート板として、側壁（ＣＣ・ＣＤ）と屋根板（ＣＢ）をシート張りとする、前後消波ボックス（Ｃ）に同じコーナ枠を組みシートをビス・ボルトでとめる。
内外貫通穴（ＣＸ）は鉄筋コンクリート部位に同じ。
【００３１】  ブロック礁（Ｂ）へさしかかる津波（Ａ）は乗り越える（←ア１）・右曲（↑ア２）・左曲（↓ア３）へ分かれる、ブロック礁（Ｂ１・Ｂ２・Ｂ３・・・）も同様、津波（Ａ）は、ブロック礁（Ｂ）を乗り越え点で（←ア１）・（↑ア２）・（↓ア３）方向の異なる波が共鳴合流出来ず混乱し、流れは滞り海面は上昇する、そのとき、低い側（Ｂ２）・（Ｂ３）・・・方向へ流れやすい、（Ｂ‘）・・・がわも同様作用がおきる。
【００３２】  津波（Ａ）は、消波ボックス（Ｃ）へ侵入（←ア）して回り四側面に抵抗を受けながら出口（イ←）へ、（Ｃ）外側通過の津波（Ａ）は消波ボックス（Ｃ）通過出口（イ←）より抵抗の少ない分早い、津波（Ａ）は内外速度の差で混乱し、津波は弱くなる。
【符号の説明】
【００３３】Ａ  津波    ↑印は津波の押し寄せる方向
Ａ１  ブロック礁（Ｂ）の奥開き配列
Ａ２  消波ボックス（Ｃ）の奥開き配列
Ｂ  ブロック礁  テトラポット．十字ブロック．ガレキ等の海中山積み部位
Ｂ１・Ｂ２・Ｂ３．．．は↑印方向右側ブロック礁
Ｂ’１・Ｂ‘２・Ｂ’３．．．は↑印方向左側ブロック礁
Ｃ  消波ボックス
ア←印は津波ＡのＣへの侵入方向  イ←印は津波ＡのＣへの侵入方向
ウ←印は直進摺る津波
←ア１印はＣ乗り越え直進  ↑ア２印は右曲進  ↓ア３印は左曲進
Ｃ１は（Ｃ）の底板（ＣＡ）の前方右角    Ｃ‘１はＣ１の出口側
Ｃ２は（Ｃ）の底板（ＣＡ）の前方左角    Ｃ‘２はＣ２の出口側
Ｃ３は（Ｃ）の屋根板（ＣＢ）の前方右角  Ｃ‘３はＣ３の出口側
Ｃ４は（Ｃ）の屋根板（ＣＢ）の前方左角  Ｃ‘４はＣ４の
ＣＡはＣの底板部位・ＣＢはＣの屋根板部位・ＣＣ．ＣＤはＣの側壁板部位
ＣＦ  グラウト剤（モルタル等地質改良補強）
Ｆｇ２・ｆｇ２はグラウト注出口    Ｆ‘ｇ２ｆ’ｇ２はグラウト配管
ＣＧ  Ｃの中途をシート張り部位（幌型）ＣＧＡはＣＧのシート部位
ＣＧ１はシート張り下地枠  ＣＧ２はシート  ＣＧ３はシート止めボルト
ＣＨは（Ｃ）の尾部二股部位  ＣＨ１は（ＣＨ）の両出口
ＣＨ２は（Ｃ）の（ＣＨ）部位の屋根板（ＣＢ）へ開示の穴
ＣＸ  Ｃの屋根面ＣＢ及びＣの側面ＣＣ．ＣＤ面の調整穴
ＣＧＸ  ＣＧの屋根面ＣＧＢ及びＣＧの側面ＣＧＢ．ＣＧＤ面の調整穴
Ｄ    水門
Ｄ１  Ｂ・Ｂ‘の埋め立て（Ｒ〜Ｒ１・Ｒ２部位）後の両先端部位の水門
Ｄ２  Ｃ・Ｃ‘の埋め立て（ｒ〜ｒ１・ｒ２部位）後の両先端部位の水門
Ｄ３  河川の水門
Ｄ４  防災建物間の津波時の水門
Ｅ    防波堤
Ｅ１  岸防波堤
Ｆ    主柱杭
ｆ    杭
ＦＡ  ＣのＣＡ部位杭通し穴
ＦＢ  ＣのＣＢ部位杭通し穴
ＦＧＡ  ＣＧの部位杭通し穴
ＦＧＢ  ＣＧの部位杭通し穴
Ｇ    Ｃの屋根部位ＣＢへ開設の支柱（支柱杭Ｆ上位へ連結も可）
Ｈ    杭周りのガレキ・テトラ．十字ブロック
Ｉ    河川
Ｊ    医療・介護施設・学校
Ｋ    防災建物
Ｋ１  大型免震高波防災建築合同庁舎（役所．漁協．農協．保育園．老施設等）
Ｋ２  学校
Ｋ３  病院
Ｋ４  高層マンション
Ｋ５  防災住宅
Ｌ    無表示は駐車スペース
Ｎ    農地
Ｍ    山林
Ｏ    高架鉄道
Ｏ１  駅舎
Ｐ    港の防波堤
Ｑ    港
Ｒ１  Ｂ域の一次埋立地・Ｒ２はＢ域の二次埋立地
ｒ１  Ｃ域の一次埋立地・ｒ２はＣ域の二次埋立地
Ｓ    桟橋
Ｔ    道路    Ｔ１は路地
Ｕ    災害後の再開発想定地  事業用地
Ｖ    災害後の住居復旧想定地
Ｗ    風車
Ｘ    海流の調整穴
Ｙ    海底
Ｚ    海面
ＺＡ  高波想定の高さ
【図１】
2013083131.tif 000003
【図２】
2013083131.tif 000004
【図３】
2013083131.tif 000005
【図４】
2013083131.tif 000006
【図５】
2013083131.tif 000007
【図６】
2013083131.tif 000008
【図７】
2013083131.tif 000009
【図８】
2013083131.tif 000010
【図９】
2013083131.tif 000011
【図１０】
2013083131.tif 000012
【図１１】
2013083131.tif 000013
【図１２】
2013083131.tif 000014
【図１３】
2013083131.tif 000015
【図１４】
2013083131.tif 000016
【図１５】
2013083131.tif 000017
【手続補正書】
【提出日】平成23年12月1日(2011.12.1)
【手続補正１】
【補正対象書類名】明細書
【補正対象項目名】全文
【補正方法】変更
【補正の内容】
【発明の詳細な説明】
【技術分野】
【０００１】
本発明は、津波の威力を弱める消波ボックスに関する。
【背景技術】
【０００２】
従来、防波堤の沖合へ波消しブロックであるテトラポット・十字ブロックを配置して波を止めるか、また、海中にカルバートボックス・パイプを複数並べ、その内部空洞へ津波を導入して弱めていた。
陸地では、堤防を高く堅固にしていた。
【０００３】
河川の流速をコントローラするには、河川の高速部位へ石等の流れに抵抗するものを並べ置き、低速にして全流れを平均化し、分水堰きへ流し分水している。
【０００４】
また、津波等の波浪対策として設置される構造物には、特許文献１に記載された消波構造物、特許文献２に記載された波浪防護構造物等がある。
【先行技術文献】
【特許文献】
【０００５】
【特許文献１】特開平５-３２１２２４号公報
【特許文献２】特開２００８-３８４５１号公報
【発明の概要】
【発明が解決しようとする課題】
【０００６】
本発明が解決しようとする課題は、内部に進入した遅い流れと外側を通過する速い流れを合流させることにより、津波の流速を弱める消波ボックスを提供することにある。
【課題を解決するための手段】
【０００７】
本発明の消波ボックスは、長手方向両端面が開口した波の進行方向に長い断面四角形の箱形であって、波の進入側である長手方向前端面の４つの角部が長軸方向に不揃いで、前記長手方向前端面が傾斜し、底板の幅が屋根板の幅より長く、前記屋根板の幅方向両側の高さが等しい形状に形成され、前記底板及び屋根板に杭通し孔を設けてある。
【０００８】
以下の構成を採用しても良い。
前記側壁及び屋根板の長手方向中間部をシート張りとした構成。
波の出口側である長手方向後端面の４つの角部が長軸方向に不揃いで、長手方向後端面が傾斜している構成。
波の出口側である長手方向後端部が両側へ二股に分岐されている構成。
前記側壁及び屋根板に、水流出入り用の孔を形成した構成。
【発明の効果】
【０００９】
請求項１に係る発明によれば、開口した端面から進入した津波は、四面を囲われて抵抗を受けるので流れが遅くなり、出口において外側を通過する速い流れと合流し、この結果、津波の流れが乱れて流速が弱まる。
また、屋根板より底板が幅広いので安定し、杭通し孔に杭を通して地中に打ち込み、杭の先端部にグラウトを施すことにより、洗掘・波破壊力に対応できる。
さらに、津波進入側の開口面が斜めになっているので、津波進入時の抵抗が少なくなり、津波の破壊力を削ぐことができる。
【００１０】
請求項２に係る発明によれば、長手方向中間部が軽く柔軟になるので、運搬や現場での組み立てが容易となる。
請求項３に係る発明によれば、出口側で波が混乱し、バラバラの波にして津波を弱めることができる。
請求項４に係る発明によれば、分岐した出口から出てくる横からの遅い流れが、側面の両外側を直進した流れに衝突して横押しし、波を混乱させて弱めることができる。
請求項５に係る発明によれば、消波ボックス内外の水圧の差を調整して、消波ボックスが破壊されるのを防止できる。
【図面の簡単な説明】
【００１１】
【図１】本発明の実施例に係る消波構造物の平面図。
【図２】ブロック礁の断面図。
【図３】アンカー杭の断面図。
【図４】本発明の実施例を示す消波ボックスの斜視図。
【図５】本発明の実施例を示す消波ボックスの屋根板の長手方向断面図。
【図６】本発明の実施例を示す消波ボックスの側壁の長手方向断面図。
【図７】本発明の実施例を示す消波ボックスの展開図。
【図８】本発明の他の実施例を示す消波ボックスの断面図。
【発明を実施するための形態】
【００１２】
以下、本発明の実施例を詳細に説明する。
図１は、リアス式海岸に設置した津波防護用構造物の平面図である。
津波（Ａ）が襲来すると、防波堤（Ｅ１）に到達するが、津波（Ａ）が巨大な場合は、防波堤（Ｅ１）を越えて陸地の工作物を破壊する。
そこで、津波（Ａ）を沖合で弱めるため、海底から海中・海面に至るブロック礁（Ｂ）を設置する。ブロック礁（Ｂ）は貝殻を伏せた形態であり、複数のブロック礁（Ｂ）を、破線Ａ１に沿って両側二列形態に、且つ、両側の列が沖から奥側（岸側）に向かって次第に開くよう、互いに少し間隔をとって配列する。また、左右両側に配列したブロック礁（Ｂ）の奥端部は海岸に達している。
なお、左右両側のブロック礁（Ｂ）は、それぞれ三列配置しても良い。
【００１３】
ブロック礁（Ｂ）を設置するには、図２に示すように、主柱杭（Ｆ）を海上から海底に打ち込み、主柱杭（Ｆ）よりやや沖側に杭（ｆ）を打ち込む。主柱杭（Ｆ）及び杭（ｆ）にはグラウト配管（Ｆ’ｇ２，ｆ’ｇ２）が施され（図３参照）、主柱杭（Ｆ）及び杭（ｆ）の先端部と中間部にはグラウト注出口（Ｆｇ２，ｆｇ２）が形成されている。
次に、主柱杭（Ｆ）及び杭（ｆ）の周囲にテトラポット、ガレキ、十字ブロック、不燃の重量廃棄物等Ｈを海面近くまで積み上げて敷き詰め、さらに、テトラポット、ガレキ、十字ブロック、不燃の重量廃棄物等の隙間及び地中にグラウト注出口（Ｆｇ２，ｆｇ２）からモルタル等のグラウト剤を注出して固定する。なお、図２中、Ｚは海面である。
【００１４】
図１に示すように、押し寄せた津波（Ａ）は、複数のブロック礁（Ｂ）毎に分割されて少しずつブロック礁（Ｂ）に乗り上げて弱まり、しかも、ブロック礁（Ｂ）を乗り越えて直進した波（←ア１）と、ブロック礁（Ｂ）の右側を通過した波（←ア２）と、ブロック礁（Ｂ）の左側を通過した波（←ア３）とは少しずつずれ、複数列配置されたブロック礁（Ｂ）を越えた津波（Ａ）は、越えた位置・流速・方向がバラバラであり、先で波同士が共鳴して新たな波を形成することが無いため、津波（Ａ）は弱まる。
なお、海面上の主柱杭（Ｆ）の上部は、風車・灯台・標識を取り付ける柱として使用できる。
【００１５】
ブロック礁（Ｂ）よりも岸寄りに、複数の消波ボックス（Ｃ）を並べて配置する（図１）。
消波ボックス（Ｃ）は、予め工場で短いものを製造し、現場の海上で組み合わせて沈めることができる鉄筋コンクリート製とするのが良い。
また、消波ボックス（Ｃ）は、図１及び図４に示すように、波の進行方向に長い断面四角形の箱形に形成され、長手方向両端面は開口している。
消波ボックス（Ｃ）の底板（ＣＡ）の幅は、屋根板（ＣＢ）の幅及び側壁（ＣＣ，ＣＤ）の高さより広く、屋根板（ＣＢ）の幅方向両側の高さは同じであり、消波ボックス（Ｃ）の全長は高さの２倍以上にして、安定させている。
【００１６】
波の進入側である消波ボックス（Ｃ）の長手方向前端面の４つの角が長軸方向に不揃いで、即ち、図４〜図７に示すように、一側下端の角（Ｃ１）が他側下端の角（Ｃ２）よりもやや突出し、一側下端の角（Ｃ１）が一側上端の角（Ｃ３）より突出し、他側上端の角（Ｃ４）は他側下端の角（Ｃ２）よりもやや後退し、他側上端の角（Ｃ４）は一側上端の角（Ｃ３）よりもやや後退し、長手方向前端面は下側が突き出すように斜めになっており、津波の進入抵抗を少なくして破壊力を削ぐ。
また、波の出口側である消波ボックス（Ｃ）の長手方向後端面の４つの角も長軸方向に不揃いで、長手方向後端面は斜めになっている。
【００１７】
図４に示すように、消波ボックス（Ｃ）の底板（ＣＡ）及び屋根板（ＣＢ）には、それぞれ杭通し孔（ＦＡ，ＦＢ）が形成される。
また、屋根板（ＣＢ）及び側壁（ＣＣ，ＣＤ）には、消波ボックス（Ｃ）の内外を貫通する水流出入り用の孔（ＣＸ）が形成され、消波ボックス（Ｃ）の内外の水圧差を調整すると共に内外の波の流速を平均化して、消波ボックス（Ｃ）が破壊されるのを防止している。
【００１８】
消波ボックス（Ｃ）は、予め製作した製品を現場に運び海底へ沈めて配置する。消波ボックス（Ｃ）の配置は、ブロック礁（Ｂ）と同様に沖から奥側に向かって次第に開き、左右の尾部は海岸に至るよう配列する。また、消波ボックス（Ｃ）の全長は隣接するものと同じにせず、長尺にする場合は、同じ形状のものを連結する。
消波ボックス（Ｃ）の杭通し孔（ＦＡ，ＦＢ）を貫通して海底へ主柱杭（Ｆ）を打ちこみ、地中へグラウトを施して固定すると共に、主柱杭（Ｆ）と底板（ＣＡ）をコンクリート等で固定する。主柱杭（Ｆ）の上部は風車や灯台等の取り付け柱として利用できる。
また、底板（ＣＡ）の前方に複数の杭（ｆ）を間隔をあけて、且つ、杭頭を海中に伸ばした状態で打設する。そして、杭（ｆ）の間にテトラポットや重量のあるガレキを置き、洗掘を防ぐ。杭（ｆ）の地中に打ち込んだ先端部にはグラウトを施して補強する。
【００１９】
消波ボックス（Ｃ）に進入した津波（Ａ）は、四面を囲われて抵抗を受け潮流は遅くなり、消波ボックス（Ｃ）の出口で消波ボックス（Ｃ）の外部を流れてくる速い流れと合流し、流れは乱れて流速を弱める。
【００２０】
他の実施例に係る消波ボックス（Ｃ）は、運搬や現場組み立てを容易にするために、側壁（ＣＣ，ＣＤ）及び屋根板（ＣＢ）の長手方向中間部に、前後部と同形のシート張り部（ＣＧ）を形成してある（図１参照）。
シート張り部（ＣＧ）の底板（ＣＡ）は、シート張り部（ＣＧ）の前後と同じ鉄筋コンクリート板とする。
シート張り部（ＣＧ）を形成するには、図８に示すように、消波ボックス（Ｃ）の前部と尾部の間にシート張り下地枠ＣＧ１や梁を取り付け、シート張り下地枠ＣＧ１や梁に軽くて柔軟な炭素繊維シートより成るシートＣＧ２をシート止めボルトＣＧ３、ビス等でとめる。
シート張り部（ＣＧ）の屋根板（ＣＢ）及び側壁（ＣＣ，ＣＤ）にも、前後の鉄筋コンクリート部分と同じ孔（ＣＸ）を形成する。
消波ボックス（Ｃ）の先端面は下側を突き出させて、津波の進入抵抗を少なくする。
【００２１】
さらに他の実施例に係る消波ボックス（Ｃ）は、波の出口側である長手方向後端部が両側へ二股に分岐した二股部（ＣＨ）となっている（図１参照）。また、二股部（ＣＨ）の屋根板に孔を穿設してある。
この消波ボックス（Ｃ）の入り口より進入した津波は、両側に分離して二股部（ＣＨ）の出口から出る。二股部（ＣＨ）の出口から出てくる横からの遅い流れが、消波ボックス（Ｃ）の外側を直進する流れに衝突して横押しし、混乱を起こして波の速度が弱まる。
二股部（ＣＨ）の屋根板の孔から上向きに流れ出る遅い流れが、上部外側を直進する流れを押し上げる。ここでも流れがばらばらになり波の速度が弱まる。
【００２２】
なお、ブロック礁（Ｂ）を設置せずに、消波ボックス（Ｃ）のみを配置しても良い。
【符号の説明】
【００２３】
Ａ  津波
Ｂ  ブロック礁
Ｃ  消波ボックス
ＣＡ  底板
ＣＢ  屋根板
ＣＣ，ＣＤ  側壁
ＣＦ  グラウト剤
ＣＸ  孔
ＣＧ  シート張り部
ＣＧ１  シート張り下地枠
ＣＧ２  シート
ＣＧ３  シート止めボルト
ＣＨ  二股部
Ｅ１  防波堤
Ｆ  主柱杭
ＦＡ，ＦＢ  杭通し孔
ｆ  杭
Ｆｇ２，ｆｇ２  グラウト注出口
Ｆ’ｇ２，ｆ’ｇ２  グラウト配管
Ｚ  海面
【手続補正２】
【補正対象書類名】特許請求の範囲
【補正対象項目名】全文
【補正方法】変更
【補正の内容】
【特許請求の範囲】
【請求項１】
長手方向両端面が開口した波の進行方向に長い断面四角形の箱形であって、波の進入側である長手方向前端面の４つの角部が長軸方向に不揃いで、前記長手方向前端面が傾斜し、底板の幅が屋根板の幅より長く、前記屋根板の幅方向両側の高さが等しい形状に形成され、前記底板及び屋根板に杭通し孔を設けてあることを特徴とする消波ボックス。
【請求項２】
前記側壁及び屋根板の長手方向中間部をシート張りとした請求項１に記載の消波ボックス。
【請求項３】
波の出口側である長手方向後端面の４つの角部が長軸方向に不揃いで、長手方向後端面が傾斜している請求項１又は２に記載の消波ボックス。
【請求項４】
波の出口側である長手方向後端部が両側へ二股に分岐されている請求項１又は２に記載の消波ボックス。
【請求項５】
前記屋根板及び側壁に水流出入り用の孔を形成してある請求項１〜４のいずれかに記載の消波ボックス。
【手続補正３】
【補正対象書類名】図面
【補正対象項目名】全図
【補正方法】変更
【補正の内容】
【図１】
2013083131.tif 000018
【図２】
2013083131.tif 000019
【図３】
2013083131.tif 000020
【図４】
2013083131.tif 000021
【図５】
2013083131.tif 000022
【図６】
2013083131.tif 000023
【図７】
2013083131.tif 000024
【図８】
2013083131.tif 000025